(57)【要約】      （修正有）【課題】格納状態にもハンガー状態（使用状態）にもでき、ハンガー状態でグリップの保持強度を充分に出せてコストも安く、使い易く、格納時、邪魔にならないヘッドレストを提供する。【解決手段】ヘッドレスト後面１６の下方部分にハンガー格納へこみ段１８、およびブラケット埋込み窪み１９を備えるヘッドレスト本体１１と、ヘッドレスト下面１７に突き出される左右のステー１５、１５と、固定ハンガー・ブラケット２５、ステム部分２１およびハンガー・ビーム部分２２からなり、左右の片持ちバー４９、５０、５１、５２でそのハンガー・ビーム部分２２に支持されて左右端２３、２４に引出し引込め可能にされる左右のグリップ４７、４８を備え、ステム部分２１で固定ハンガー・ブラケット２５に上下方向に揺動可能に連結されて格納へこみ段（格納位置）１８とハンガー状態（使用位置）との間に押し下げ引き上げ可能にされる逆Ｔ字ハンガー２０とを含む。【選択図】図５
2009254716.tif 000002
【特許請求の範囲】
【請求項１】
ヘッドレスト・フレーム、パッド、および表皮で組み立てられ、そして、ヘッドレスト後面の下方部分に左右方向に伸びてへこむハンガー格納へこみ段、およびそのハンガー格納へこみ段に連続されてそのヘッドレスト後面の中央部分にへこむブラケット埋込み窪みを備えるヘッドレスト本体と、そのヘッドレスト本体のそのフレームに一体的に連結されてヘッドレスト下面に突き出される左右のステーと、そのヘッドレスト本体のその埋込み窪みにはめ込まれてそのヘッドレスト本体のそのフレームに固定的に取り付けられる固定ハンガー・ブラケットと、ステム部分およびハンガー・ビーム部分からなり、左右の片持ちバーでそのハンガー・ビーム部分に摺動可能に支持されてそのハンガー・ビーム部分の左右端に引出し引込め可能にされる左右のグリップを備え、そして、そのステム部分でその固定ハンガー・ブラケットに上下方向に搖動可能に連結されてその格納へこみ段（格納位置）とハンガー状態（使用位置）との間に押し下げ引き上げ可能にされる逆Ｔ字ハンガーとを含む格納型逆Ｔ字ハンガー付きヘッドレスト。
【請求項２】
その逆Ｔ字ハンガーが、ステム部分およびハンガー・ビーム部分からなり、そして、そのステム部分でその固定ハンガー・ブラケットに上下方向に揺動可能に連結されてその格納へこみ段とそのハンガー状態との間に押し下げ引き上げ可能にされる逆Ｔ字形可動ハンガー・メイン・ブラケットと、ステム・カバー部分およびビーム・カバー部分からなり、そのビーム・カバー部分の内側面に右の片持ちバー案内溝を、そのステム・カバー部分の内側面に右の引出しストッパー・ダボをそれぞれ備え、そして、その可動ハンガー・メイン・ブラケットの上側に組み付けられる逆Ｔ字形ハンガー・アッパー・カバーと、ステム・カバー部分およびビーム・カバー部分からなり、そのビーム・カバー部分の内側面に左の片持ちバー案内溝を、そのステム・カバー部分の内側面に左の引出しストッパー・ダボをそれぞれ備え、そして、その可動ハンガー・メイン・ブラケットの下側に組み付けられる逆Ｔ字形ハンガー・ロアー・カバーと、一対の左片持ちバーでその可動ハンガー・メイン・ブラケットおよびそのハンガー・ロアー・カバーの間に摺動可能に支持され、そして、その逆Ｔ字ハンガーのそのハンガー・ビーム部分の左端に引出し引込め可能にされる左のグリップと、一対の右片持ちバーでその可動ハンガー・メイン・ブラケットおよびそのハンガー・アッパー・カバーの間の摺動可能に支持され、そして、その逆Ｔ字ハンガーのそのハンガー・ビーム部分の右端に引出し引込め可能にされる右のグリップとによって組み立てられる請求項１に記載の格納型逆Ｔ字ハンガー付きヘッドレスト。
【発明の詳細な説明】
【技術分野】
【０００１】
この発明は、自動車シートに用いられる格納型逆Ｔ字ハンガー付きヘッドレストに関する。
【背景技術】
【０００２】
通常、自動車では、格納型折りたたみハンガーが用いられるのが一般的でそのハンガーは、不使用時に折りたたまれてヘッドレストに格納される構造を採る。ところが、その種のハンガーは長尺に折りたたまれるので、そのヘッドレストは内部に大きな収納スペースが必要になり、その結果、そのヘッドレストはクッション性が低下される。そのクッション性を確保しようとすると、そのヘッドレストは大型化せねばならなくなる。
また、先に出願した特２００７−１８９３５では、使い易い反面、ハンガー状態、すなわち、引出し状態でグリップとハンガー・バーとの重なり長さが短くそのグリップの保持強度が充分で無く、そして、価格が高く付く不具合もあった。
【特許文献１】実開平７−２５８５２号公報
【発明の開示】
【発明が解決しようとする課題】
【０００３】
この発明の課題は、ハンガーの構造を簡単にして操作も簡単でコンパクトにまとめられ、格納状態にもハンガー状態（使用状態）にもでき、ハンガー状態で、すなわち、引出し状態でグリップの保持強度を充分に出せてコストも安くでき、そして、ヘッドレスト後面の下方部分に格納でき使い易く、格納時、邪魔にならないところの格納型逆Ｔ字ハンガー付きヘッドレストの提供にある。
【課題を解決するための手段】
【０００４】
この発明の格納型逆Ｔ字ハンガー付きヘッドレストは、ヘッドレスト・フレーム、パッド、および表皮で組み立てられ、そして、ヘッドレスト後面の下方部分に左右方向に伸びてへこむハンガー格納へこみ段、およびそのハンガー格納へこみ段に連続されてそのヘッドレスト後面の中央部分にへこむブラケット埋込み窪みを備えるヘッドレスト本体と、そのヘッドレスト本体のそのフレームに一体的に連結されてヘッドレスト下面に突き出される左右のステーと、そのヘッドレスト本体のその埋込み窪みにはめ込まれてそのヘッドレスト本体のそのフレームに固定的に取り付けられる固定ハンガー・ブラケットと、ステム部分およびハンガー・ビーム部分からなり、左右の片持ちバーでそのハンガー・ビーム部分に摺動可能に支持されてそのハンガー・ビーム部分の左右端に引出し引込め可能にされる左右のグリップを備え、そして、そのステム部分でその固定ハンガー・ブラケットに上下方向に揺動可能に連結されてその格納へこみ段（格納位置）とハンガー状態（使用位置）との間に押し下げ引き上げ可能にされる逆Ｔ字ハンガーとを含む。
【発明の効果】
【０００５】
この発明では、その逆Ｔ字ハンガーの構成、構造が簡単でヘッドレスト後面にコンパクトにまとめられて格納でき、そして、操作も簡単になり、すなわち、押し下げ操作で格納状態にでき、また、引き上げ操作でハンガー状態にでき、そのヘッドレスト後面の下方部分に格納できて使い易く、そして、格納時、邪魔にならず、その左右のグリップを支持するその片持ちバーが十分に長くできてそのハンガー・ビーム部分との重なり、すなわち、バー重なり長さを長くでき、ハンガー状態で、すなわち、引出し状態でそのグリップの保持強度（保持力）が充分に出せ、そして、コストも安くでき、さらには、ハンガーがヘッドレストに一体型であるので不使用時、そのハンガーがそのヘッドレスト後面の下方部分に格納できてそのハンガーが紛失することもなく、また、邪魔にならず、そのハンガーに掛けた上着が低い位置にあって後方視界の妨げや安全確認の妨げが避けられ、さらに、そのハンガーがスプリングによって上方への付勢、保持されるので、使用時の操作が複雑化されず、そして、そのハンガーがそのヘッドレスト後面の下方部分のへこみ段に格納されるので、格納時、違和感のないヘッドレストの外観品質が得られ、それに伴ってそのハンガーの存在感もアピールできる。
【発明を実施するための最良の形態】
【０００６】
この発明の格納型逆Ｔ字ハンガー付きヘッドレストでは、ヘッドレスト・フレーム、パッド、および表皮で組み立てられ、そして、ヘッドレスト後面の下方部分に左右方向に伸びてへこむハンガー格納へこみ段、およびそのハンガー格納へこみ段に連続されてそのヘッドレスト後面の中央部分にへこむブラケット埋込み窪みを備えるヘッドレスト本体と、そのヘッドレスト本体のそのフレームに一体的に連結されてヘッドレスト下面に突き出される左右のステーと、そのヘッドレスト本体のその埋込み窪みにはめ込まれてそのヘッドレスト本体のそのフレームに固定的に取り付けられる固定ハンガー・ブラケットと、ステム部分およびハンガー・ビーム部分からなり、左右の片持ちバーでそのハンガー・ビーム部分に摺動可能に支持されてそのハンガー・ビーム部分の左右端に引出し引込め可能にされる左右のグリップを備え、そして、そのステム部分でその固定ハンガー・ブラケットに上下方向に揺動可能に連結されてその格納へこみ段（格納位置）とハンガー状態（使用位置）との間に押し下げ引き上げ可能にされる逆Ｔ字ハンガーとを含む。
【０００７】
特に、その逆Ｔ字ハンガーは、ステム部分およびハンガー・ビーム部分からなり、そして、そのステム部分でその固定ハンガー・ブラケットに上下方向に揺動可能に連結されてその格納へこみ段とそのハンガー状態との間に押し下げ引き上げ可能にされる逆Ｔ字形可動ハンガー・メイン・ブラケットと、ステム・カバー部分およびビーム・カバー部分からなり、そのビーム・カバー部分の内側面に右の片持ちバー案内溝を、そのステム・カバー部分の内側面に右の引出しストッパー・ダボをそれぞれ備え、そして、その可動ハンガー・メイン・ブラケットの上側に組み付けられる逆Ｔ字形ハンガー・アッパー・カバーと、ステム・カバー部分およびビーム・カバー部分からなり、そのビーム・カバー部分の内側面に左の片持ちバー案内溝を、そのステム・カバー部分の内側面に左の引出しストッパー・ダボをそれぞれ備え、そして、その可動ハンガー・メイン・ブラケットの下側に組み付けられる逆Ｔ字形ハンガー・ロアー・カバーと、一対の左片持ちバーでその可動ハンガー・メイン・ブラケットおよびそのハンガー・ロアー・カバーの間に摺動可能に支持され、そして、その逆Ｔ字ハンガーのそのハンガー・ビーム部分の左端に引出し引込め可能にされる左のグリップと、一対の右片持ちバーでその可動ハンガー・メイン・ブラケットおよびそのハンガー・アッパー・カバーの間の摺動可能に支持され、そして、その逆Ｔ字ハンガーのそのハンガー・ビーム部分の右端に引出し引込め可能にされる右のグリップとによって組み立てられるのが望ましい。
【実施例１】
【０００８】
以下、特定されて図示された具体例に基づいて、この発明の格納型逆Ｔ字ハンガー付きヘッドレストを説明するに、図１ないし図９は、乗用車のドライバー・シートに活用されるところのこの発明の格納型逆Ｔ字ハンガー付きヘッドレストの具体例１０を示し、そして、このヘッドレスト１０では、ヘッドレスト本体１１がヘッドレスト・フレーム１２、パッド１３、および表皮１４で組み立てられ、そして、ヘッドレスト後面１６の下方部分に左右方向に伸びてへこむハンガー格納へこみ段１８、およびそのハンガー格納へこみ段１８に連続されてそのヘッドレスト後面１６の中央部分にへこむブラケット埋込み窪み１９を備え、また、左右のステー１５、１５が、そのヘッドレスト本体１１のそのフレーム１２に一体的に連結されてヘッドレスト下面１７に突き出され、さらに、固定ハンガー・ブラケット２５が、そのヘッドレスト本体１１のその埋込み窪み１９にはめ込まれてそのヘッドレスト本体１１のそのフレーム１２に固定的に取り付けられ、またさらに、逆Ｔ字ハンガー２０が、ステム部分２１およびハンガー・ビーム部分２２からなり、左右の片持ちバー４９、５０および５１，５２でそのハンガー・ビーム部分２２に摺動可能に支持されてそのハンガー・ビーム部分２２の左右端２３、２４に引出し引込め可能にされる左右のグリップ４７、４８を備え、そして、そのステム部分２１でその固定ハンガー・ブラケット２５に上下方向に揺動可能に連結されてその格納へこみ段（格納位置）１８とハンガー状態（使用位置）との間に押し下げ引き上げ可能にされる。
そして、このヘッドレスト１０では、そのハンガー格納へこみ段１８がそのブラケット埋込み窪み１９よりも少し深めに設定されてハンガー格納時の指はさみを防止している。
【０００９】
詳細には、その逆Ｔ字ハンガー２０は、ステム部分３１およびハンガー・ビーム部分３２からなり、そして、そのステム部分３１でその固定ハンガー・ブラケット２５に上下方向に揺動可能に連結されて、その格納へこみ段１８とそのハンガー状態との間に押し下げ引き上げ可能にされる逆Ｔ字形可動ハンガー・メイン・ブラケット３０と、ステム・カバー部分３４およびビーム・カバー部分３５からなり、そのビーム・カバー部分３５の内側面３７に右の引出しストッパー・ダボ（図示せず）をそれぞれ備え、そして、その可動ハンガー・メイン・ブラケット３０の上側に組み付けられる逆Ｔ字形ハンガー・アッパー・カバー３３と、ステム・カバー部分４０およびビーム・カバー部分４１からなり、そのビーム・カバー部分４０の内側面４２に左の引出しストッパー・ダボ４５をそれぞれ備え、そして、その可動ハンガー・メイン・ブラケット３０の下側に組み付けられる逆Ｔ字形ハンガー・ロアー・カバー３９と、一対の左片持ちバー４９、５０でその可動ハンガー・メイン・ブラケット３０およびそのハンガー・ロアー・カバー３９の間に摺動可能に支持され、そして、その逆Ｔ字ハンガー２０のそのハンガー・ビーム部分２２の左端２３に引出し引込め可能にされる左のグリップ４７と、一対の右片持ちバー５１、５２でその可動ハンガー・メイン・ブラケット３０およびそのハンガー・アッパー・カバー３３の間に摺動可能に支持され、そして、その逆Ｔ字ハンガー２０のそのハンガー・ビーム部分２２の右端２４に引出し引込め可能にされる右のグリップ４８とによって組み立てられる。
【００１０】
その固定ハンガー・ブラケット２５は、樹脂で成形されたベース・プレート２６およびベース・カバー２７で組み立てられ、そして、そのベース・プレート２６でそのヘッドレスト本体１１のそのフレーム１２にねじ止めされ、また、そのベース・プレート２６は、それの表面に左右の支持アーム（図示せず）を突き出し、そして、その左右の支持アーム間にシャフト２８を通してねじ２９でそのシャフト２８にその可動ハンガー・メイン・ブラケット３０のそのステム部分３１を止めてその固定ハンガー・ブラケット２５にその逆Ｔ字ハンガー２０を上下方向に揺動可能に取り付ける。
【００１１】
その逆Ｔ字ハンガー２０は、その可動ハンガー・メイン・ブラケット３０にそのハンガー・アッパー・カバー３３およびハンガー・ロアー・カバー３９を被せて複数のねじ４６、４６、４６でそのハンガー・ビーム部分３２にそのビーム・カバー部分３５、３８を三層状に重ねて止められて一体化構造に組み立てられる。勿論、この逆Ｔ字ハンガー２０は、ロック装置（図示せず）でその格納位置と使用位置とにロックされる。
【００１２】
その左のグリップ４７は、所定の外径の長い鋼棒から所定の長さに切断されてＵ字曲げされた左片持ちバー４９、５０を用い、同様にその右のグリップ４８も所定の外径の長い鋼棒から所定の長さに切断されてＵ字曲げされた右片持ちバー５１、５２を用いる。そして、その左片持ちバー５０およびその右片持ちバー５２は、先端にＵ字曲げされた張出しフック５３、５３を備え、その左右のグリップ４７、４８が最大に引き出さられると、その張出しフック５３、５３がその左の引出しストッパー・ダボ４５およびその右の引出しストッパー・ダボに引っ掛ってその左右のグリップ４７、４８を抜け止めする。
その左右のグリップ４７、４８は、その左右の片持ちバー４９、５０および５１、５２をその可動ハンガー・メイン・ブラケット３０の上下に、具体的には、その可動ハンガー・メイン・ブラケット３０の上下でその可動ハンガー・メイン・ブラケット３０とそのハンガー・アッパーおよびロアー・カバー３３，３９との間に配置することによってその左右の片持ちバー４９、５０および５１、５２の長さを長く取れてその左右のグリップ４７、４８が最大に引き出されてもバー重なり長さがその可動ハンガー・メイン・ブラケット３０とそのハンガー・アッパーおよびロアー・カバー３３、３９との間に充分に残すことが可能になってその左右のグリップ４７、４８の保持強度（保持力）が充分に出せる。
【００１３】
したがって、このヘッドレスト１０では、その逆Ｔ字ハンガー２０の構成、構造が簡単でヘッドレスト後面１６にコンパクトにまとめられて格納でき、そして、操作も簡単になり、すなわち、押し下げ操作で格納状態にでき、また、引き上げ操作でハンガー状態にでき、そのヘッドレスト後面１６の下方部分に格納できて使い易く、そして、格納時、邪魔にならず、その左右のグリップ４７、４８を支持するその片持ちバー４９、５０および５１、５２が十分に長くできてそのハンガー・ビーム部分３２との重なり、すなわち、バー重なり長さを長くでき、ハンガー状態で、すなわち、引出し状態でそのグリップ４７、４８の保持強度（保持力）が充分に出せ、そして、コストも安くでき、さらには、ハンガー２０がヘッドレスト１０に一体型であるので不使用時、そのハンガー２０がそのヘッドレスト後面１６の下方部分に格納できてそのハンガー２０が紛失することもなく、また、邪魔にならず、そのハンガー２０に掛けた上着が低い位置にあって後方視界の妨げや安全確認の妨げが避けられ、さらに、そのハンガー２０がスプリング（図示せず）によって上方への付勢、保持されるので、使用時の操作が複雑化されず、そして、そのハンガー２０がそのヘッドレスト後面１６の下方部分のへこみ段１８に格納されるので、格納時、違和感のないヘッドレスト１０の外観品質が得られ、それに伴ってそのハンガー２０の存在感もアピールできる。
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１５】
上述から理解されるように、この発明の格納型逆Ｔ字ハンガー付きヘッドレストは、ヘッドレスト・フレーム、パッド、および表皮で組み立てられ、そして、ヘッドレスト後面の下方部分に左右方向に伸びてへこむハンガー格納へこみ段、およびそのハンガー格納へこみ段に連続されてそのヘッドレスト後面の中央部分にへこむブラケット埋込み窪みを備えるヘッドレスト本体と、そのヘッドレスト本体のそのフレームに一体的に連結されてヘッドレスト下面に突き出される左右のステーと、そのヘッドレスト本体のその埋込み窪みにはめ込まれてそのヘッドレスト本体のそのフレームに固定的に取り付けられる固定ハンガー・ブラケットと、ステム部分およびハンガー・ビーム部分からなり、左右の片持ちバーでそのハンガー・ビーム部分に摺動可能に支持されてそのハンガー・ビーム部分の左右端に引出し引込め可能にされる左右のグリップを備え、そして、そのステム部分でその固定ハンガー・ブラケットに上下方向に揺動可能に連結されてその格納へこみ段（格納位置）とハンガー状態（使用位置）との間に押し下げ引き上げ可能にされる逆Ｔ字ハンガーとを含むので、この発明の格納型逆Ｔ字ハンガー付きヘッドレストでは、その逆Ｔ字ハンガーの構成、構造が簡単でヘッドレスト後面にコンパクトにまとめられて格納でき、そして、操作も簡単になり、すなわち、押し下げ操作で格納状態にでき、また、引き上げ操作でハンガー状態にでき、そのヘッドレスト後面の下方部分に格納できて使い易く、そして、格納時、邪魔にならず、その左右のグリップを支持するその片持ちバーが十分に長くできてそのハンガー・ビーム部分との重なり、すなわち、バー重なり長さを長くでき、ハンガー状態で、すなわち、引出し状態でそのグリップの保持強度保持力が充分に出せ、そして、コストも安くでき、さらには、ハンガーがヘッドレストに一体型であるので不使用時、そのハンガーがそのヘッドレスト後面の下方部分に格納できてそのハンガーが紛失することもなく、また、邪魔にならず、そのハンガーに掛けた上着が低い位置にあって後方視界の妨げや安全確認の妨げが避けられ、さらに、そのハンガーがスプリングによって上方への付勢、保持されるので、使用時の操作が複雑化されず、そして、そのハンガーがそのヘッドレスト後面の下方部分のへこみ段に格納されるので、格納時、違和感のないヘッドレストの外観品質が得られ、それに伴ってそのハンガーの存在感もアピールでき、その結果、自動車シートにとって非常に有用で実用的である。
【図面の簡単な説明】
【００１６】
【図１】乗用車のドライバー・シートに活用され、そして、ハンガーを格納状態に置くところのこの発明の格納型逆Ｔ字ハンガー付きヘッドレストの具体例を示した背面図である。
【図２】格納位置から使用位置にハンガーを引き上げたところのそのヘッドレストを示した斜視図である。
【図３】格納位置から使用位置にハンガーを引き上げたところのそのヘッドレストを示した斜視図である。
【図４】ハンガーを使用位置に引き上げ、左右のグリップを引き出してハンガー状態に置くところのそのヘッドレストを示した背面図である。
【図５】ハンガーを使用位置に引き上げ、左右のグリップを引き出してハンガー状態に置くところのそのヘッドレストを示した斜視図である。
【図６】そのヘッドレストの本体に関連して使用位置でハンガーを示した概略横断面図である。
【図７】逆Ｔ字形ハンガー・アッパー・カバーおよび右のグリップなどを省いてハンガーを示した斜視図である。
【図８】逆Ｔ字形ハンガー・ロアー・カバーおよび左のグリップをその左のグリップの引っ込め状態で示した斜視図である。
【図９】逆Ｔ字形ハンガー・ロアー・カバーおよび左のグリップをその左のグリップの引き出し状態で示した斜視図である。
【符号の説明】
【００１７】
１０  ヘッドレスト
１１  ヘッドレスト本体
１２  ヘッドレスト・フレーム
１３  パッド
１４  表皮
１５  ステー
１６  ヘッドレスト後面
１７  ヘッドレスト下面
１８  ハンガー格納へこみ段
１９  ブラケット埋込み窪
２０  格納型逆Ｔ字ハンガー
２１  ステム部分
２２  ハンガー・ビーム部分
２３  左端
２４  右端
２５  固定ハンガー・ブラケット
２６  ベース・プレート
２７  ベース・カバー
２８  シャフト
２９  ねじ
３０  逆Ｔ字形可動ハンガー・メイン・ブラケット
３１  ステム部分
３２  ハンガー・ビーム部分
３３  逆Ｔ字形ハンガー・アッパー・カバー
３４  ステム・カバー部分
３５  ビーム・カバー部分
３６  内側面
３７  内側面
３８  右の片持ちバー案内溝
３９  逆Ｔ字形ハンガー・ロアー・カバー
４０  ステム・カバー部分
４１  ビーム・カバー部分
４２  内側面
４３  内側面
４４  左の片持ちバー案内溝
４５  左の引出しストッパー・ダボ
４６  ねじ
４７  左のグリップ
４８  右のグリップ
４９  左片持ちバー
５０  左片持ちバー
５１  右片持ちバー
５２  右片持ちバー
５３  張出しフック
【図１】
2009254716.tif 000003
【図２】
2009254716.tif 000004
【図３】
2009254716.tif 000005
【図４】
2009254716.tif 000006
【図５】
2009254716.tif 000007
【図６】
2009254716.tif 000008
【図７】
2009254716.tif 000009
【図８】
2009254716.tif 000010
【図９】
2009254716.tif 000011